【手続補正書】
【提出日】平成15年3月28日(2003.3.28)
【手続補正１】
【補正対象書類名】明細書
【補正対象項目名】全文
【補正方法】変更
【補正の内容】
【発明の名称】抜き取り可能な画鋲
【特許請求の範囲】
【請求項１】幅広の略円盤状鍔部（３）の下面側に尖端の針部（４）を、上面側に横向きの挿通孔（２）を穿設した掴み代（１）を、前記略円盤状鍔部（３）の平滑面（５）を残して設けてなる抜き取り可能な画鋲。
【請求項２】前記掴み代（１）が直方体またはそれに類似する形式で横向きの挿通孔（２）を穿設して成るピース状体である請求項１記載の抜き取り可能な画鋲。
【請求項３】前記掴み代（１）が板状主体部により横向きの挿通孔（２）を形成してなるピース状態である請求項１記載の抜き取り可能な画鋲。
【発明の詳細な説明】
【０００１】
【発明の属する技術分野】
本発明は壁や柱等に掲示物を貼り付けるための抜き取り可能な画鋲に関するものである。
【０００２】
【従来の技術】
１．一文字型指回しヘッドからなるネジ付き押しピン。
登録実用新案公報３０３９２９６号
２．平板状の頭がリング状、またはフック状で一連に接着されている画鋲を使用した画鋲打ち機械。
公開実用新案公報  実開平６−７５７９５
及び  刺し針を植え込んだ頭台座に指孔を形成するリングを一体化して、プラスチックで一体成型した指リング取っ手の付いた押しピン。
公開特許公報  特開平１１−２５４８９０
３．テコ用レバーが装着されている画鋲。
公開特許公報  平４−１１２０９９
４．板状の画鋲の頭部をくの字型にし、てこの原理で抜きやすくする。
特許公報  特許第３１０３７６３
５．断面はほぼＵ字状に折曲した狭持板の一方の外面にピンを突出させた画鋲  公開特許公報  特開平１０−１３８６９５
６．  ピンフック付きの頭に複数の針をつけてある画鋲。
公開実用新案公報  実開平７−４４４８３
【０００３】
７．紐を画鋲本体側面の翼のフックに引っ掛けて物を吊るす。
公開特許公報  特開平６−７９９９５
８．軟質ゴム又は他の高分子材質のリング内に頭部を入れ内側から画鋲の針を貫通させる。登録実用新案公報  第３０１６１２４
９．頭部の頂部の穴、又はスリツトに、画鋲のピンを差し込み、多段に積み重ねることができる。公開実用新案公報  実開平５−３５３９０
１０．使用しないときは針が頭の中にしまいこまれ、使用時だけ針が頭の中から出てくる。公開特許公報  特開２０００−２０３１９７号
【０００４】
【発明が解決しようとしている課題】
従来の幅広の略円盤状鍔部の厚さが均一な板状の幅広の略円盤状鍔部（３）で形成される画鋲は使用しているとき目立たないが幅広の略円盤状鍔部（３）を爪で挟んで外すことが多かった。幅広の略円盤状鍔部はニッパー（１１）等では挟みにくいため使いにくかった。
また、画鋲を外すとき画鋲の頭と壁面（７）等の間に隙間がないためにそこにくさび状のものを差し込むことが困難な場合もあった。
【０００５】
画鋲を抜き易くすると頭の部分のつまみや頭自体も大きくなるか、又は構造が複雑になる欠点があつた。
画鋲は画鋲の略円盤状鍔部（３）で掲示物を壁面（７）等に押しつけて壁面（７）に掲示物を止着する事が多く軽い物を吊り下げるときはやや面倒であつた。
頭の平たい画鋲は針が刺さりにくいとき上から叩こうとしても画鋲を支える個所もなかった。
【０００６】
画鋲で掲示物を留めるとき、数個の画鋲を手の平に載せているか、またはいちいち箱の蓋を開いて取り出さなければならなかった。抜いた画鋲を収納するときも同様で、不便であった。
高所の画鋲を抜くときは、踏み台の上に立って抜くか、器具を使って画鋲と壁との間にくさび状のものを刺し込んで抜く場合もあるのだが、もう少し、簡単に抜くことができれば良かった。
高所にいるとき床面等の下方の容器に画鋲が流れ込んでくればなお良かつた。
本発明は上記に鑑み、壁等に係止された画鋲をニッパー（１１）等の道具を用いて、容易に引き抜くことができるとともに、小さいまま、差し込み易く、持ち運びしやすく、かつ収納し易い画鋲を提供することを目的とするものである。
【０００７】
【課題を解決するための手段】
前記課題を達成するために、本発明の画鋲（１０）は厚さが均一な略円盤状鍔部（３）の下面側に針（４）を植え込んだ画鋲（１０）において、幅広の略円盤状鍔部（３）の針（４）がない上面側に、掴み代（１）を設け、その掴み代（１）に挿通孔（２）を略円盤状鍔部（３）の上面側の平滑面にできるだけ近く、略円盤状鍔部（３）の上面又は裏面の表面に略平行に、すなわち針（４）に略直角となるように開け、略円盤状鍔部（３）の上面側の平滑面に於いて挿通孔（２）の両開口部の両外側の部分、又は掴み代（１）の両端が略円盤状鍔部の両端まで延びている場合も掴み代（１）の対面する側面の両外側の部分が掴み代（１）で覆われないように露出させて形成されたものである。この場合掴み代（１）の対面する両側面の外側になる上面側の平滑面（５）が針の付け根に対して対称になっていればニッパー等により画鋲を挿し込むとき真っ直ぐに挿し込むことができる。
【０００８】
掴み代（１）には▲１▼略円盤状鍔部（３）の上面側に略円盤状鍔部（３）の一部を盛り上げて形成したもの、掴み代（１）を略円盤状鍔部（３）の上面側の表面に固着して形成したもの、▲２▼略長方形の板状のものを曲げて上面側の表面に固着し略筒状又は断面が略半円状の挿通孔（２）を形成したもの等があるが、いずれも、少なくとも、その挿通孔（２）は略円盤状鍔部（３）における上面側の掴み代（１）にあけた挿通孔（２）の両開口部の両外側の部分が、掴み代（１）等で覆われないで露出させて形成されたものである。
【０００９】
すなわち、掴み代（１）を形成する金属等の物体の長さが短く略円盤状鍔部の両端に達しない場合は、掴み代（１）及び掴み代（１）と略円盤状鍔部の接合面の外側全体に於ける略円盤状鍔部の上面側の平滑面が掴み代等で覆われないように露出させて形成されたものである。それによって、いずれの場合も掴み代（１）をニッパー（１１）等で挟み、画鋲（１０）を抜くことができるとともに略円盤状鍔部（３）の掴み代（１）等で覆われていない部分をニッパー（１１）等の先端の平らな部分で押す事により、画鋲（１０）を壁（７）等に差し込むことができる。掴み代（１）に開けた挿通孔（２）に平行である掴み代（１）の対面する両側面の外側に於ける画鋲（１０）の略円盤状鍔部（３）の表面の両側が掴み代（１）で覆われていない図１や図３の場合は、ニッパー（１１）等で挟んだまま挿通孔（２）に糸等の線状体（９）を通すことができる。
【００１０】
通常はいずれの場合も掴み代（１）についた挿通孔（２）に、糸等の線状体（３）を通すことができる。
また、掴み代（１）についた挿通孔（２）に、細い棒（８）を挿し込むとか、鉤の先を挿すことができる。
掴み代（１）は小さいときや薄い布、シート、金属で構成されている場合は、指で画鋲（１０）の略円盤状鍔部（３）を直接押して壁（７）に差し込むことが比較的容易になるが通常は挿通孔（２）に糸等の線状体を通しにくくなる。
【００１１】
掴み代（１）は頑丈な場合は、挿通孔（２）に棒を差し込み支えながらその上から静かに叩いて画鋲（１０）を挿し込むことができる。
掴み代（１）にあけた挿通孔（２）は小さいほど良いのだが、離れた場所の画鋲（１０）を挿通孔（２）を利用して抜き取る場合はやや大きな挿通孔（２）のほうが良い。略円盤状鍔部は他に略長方形や楕円形等種々の形が考えられる。
【００１２】
【作用】画鋲（１０）の針（４）を壁（７）等に刺したとき、略円盤状鍔部（３）の上面側の掴み代（１）と掴み代（１）に付けた挿通孔（２）が壁（７）面の上側に必ず出ていて、常に口を開いているので、図８（ａ）のようにそこに棒（８）等を簡単に挿し込むことができる。したがって下記の共通な働きがある。
【００１３】
この掴み代（１）が画鋲（１０）全体とつながっているため、ここを引けば画鋲（１０）は壁（７）面等から抜くことができる。
また、その挿通孔（２）に金属製の棒（８）を通してその棒（８）の支点になる部分を壁（７）面の一部に当てて、壁（７）面から離すように引くことにより、図８（ａ）、（ｂ）のようにてこの原理を使って画鋲（１０）を抜くことができる。棒（８）を挿し込む挿通孔（２）がいつも掲示物の上にあるので、天井などの離れた場所でも、その挿通孔（２）に棒（８）を挿し込みやすいため、抜く作業も容易である。挿通孔（２）は小さいほど良いのだが、高所の画鋲（１０）を抜くときは、挿通孔（２）が大きいほうが便利である。いずれにしても挿通孔（２）が小さい場合でも、離れていても比較的抜き易い。
【００１４】
また、その挿通孔（２）に糸や針金等を通せば壁（７）面などに軽い請求書や領収書等の物を吊るすこともできる。
【００１５】
糸や針金等の線状体が長い場合にはその挿通孔（２）に通した糸、紐、又は針金等を手に掴んで画鋲（１０）をひき抜く事ができる。ただし、あまり長いと、画鋲（１０）が目に当たったりして危険である。
更に略円盤状鍔部（３）の掴み代（１）の挿通孔（２）に、先端部が曲がった細い金属に画鋲（１０）の挿通孔（２）を引っ掛けて画鋲（１０）を抜くこともできる。
【００１６】
また、画鋲（１０）を刺し込む作業をしているときや、画鋲（１０）をはずす作業をしているときに画鋲（１０）の入った箱を持ち歩く場合蓋を開けたり閉めたりする必要があり、いちいち箱を置く場所も考えなければならず面倒だが、図９のように略円盤状鍔部（３）の上面側の挿通孔（２）に針金や紐を通すことによりたくさんの画鋲（１０）を簡単にまとめながら持ち歩くことができる。たくさんの本発明の画鋲（１０）を糸につないだまま箱等に入れた場合でも取り出すことも数を数えることも便利である。
【００１７】
高所で画鋲（１０）の抜き取りの作業をしているとき、抜いた画鋲（１０）を、挿通孔（２）に糸等の線状体（９）を通して糸等を伝わせて、床の容器に導くこともできる。
【００１８】
掴み代（２）はペンチ等の挟み部の両方の先端部がぴったりとくっつき先端部が平らな洗濯挟み、ニッパー（１１）等で挟んで画鋲（１０）を固定し、図７のように掴み代（２）の両側にある略円盤状鍔部の上面側の部分を、挟んでいる器具の先端の両側の平らな部分で同時に、両側に均等に力を加えて押して壁面（７）に刺し込むことができる。この場合にはニッパー（１１）等を握って刺すため大きな力で刺すことができる。同様に抜き取る作業も容易にできる。
【００１９】
挿通孔（２）に針金（８）等を挿し込んで画鋲（１０）を支えて小さな金槌で叩いて刺し込むこともできる。また、抜くときに挿通孔（２）に棒（８）等を挿し込んで回してから抜くこともできるため抜き易いので画鋲（１０）をやや大型で頑丈にすることもできる。
本発明の画鋲（１０）は小さな子供でも力のない人でも刺し込むことも抜くことも容易で、持ち運びしやすく、かつ収納し易い。
【００２０】
【実施例】
以下、本発明に係る抜き取り可能な画鋲（１０）の実施の態様につき、添付図面に基づいて説明する。
【００２１】
本発明に係る抜き取り可能な画鋲（１０）は、図１に示されるように、幅広の略円盤状の鍔部（３）における下面側に尖端状の針部（４）、その上面側の平滑面（５）に不定形の線状体より成る掴み代（１）を前記幅広の円盤状等の鍔部（３）に於ける平滑面（５）を残して一体的に形成される。
【００２２】
前記掴み代（１）は、図１に示されるように、幅広の略円盤状鍔部（３）の上面側の略中央に略矩形状とするピース状体６として、その残余部を平滑面とする以外、断面が略円弧状とするピース状体６ｂ（図２）、略円筒状とするピース状体６ｃ（図３）、断面が略半円形状とするピース状体６ｄ（図４）、あるいは側面視略ハット型とするピース状本体６ｅ（図５）等種々の形状のものが用いられる。
【００２３】
さらに、この掴み代（１）は、ピース状本体６以外、図６のように薄い金属、シート、または布等のような不定形の面状体の材料を用いることが可能である。
すなわち、側面視略ハット型の特殊なものとして、掴み代（１）を構成する素材にこれらのもののうち薄く丈夫な平面的な広がりのある素材を使用すると画鋲（１０）を押し込むとき、指の先が痛くなりにくいのだが、指先が切れるようなものでなければ好都合である。また、これらの素材が丈夫であればそれらの幅を狭めることもできる。
【００２４】
図１〜図４ではこの掴み代（１）に、挿通孔（２）を略円盤状鍔部（３）の表及び裏側の面、すなわち壁等（６）との接触面に略平行で、かつ針（４）に垂直にあける。
【００２５】
さらに、図２では掴み代（１）の両側面の外側に於ける画鋲（１０）の略円盤状鍔部（３）に於ける表面が、画鋲（１０）が図２の位置にある場合に、その上面には、掴み代（１）の一部など何もないようにする。そして、画鋲（１０）の上面側のなにもない部分が略円盤状鍔部（３）における針の付け根に対して対称形になるようにする。また、図１、図３、図４では掴み代（１）と画鋲（１０）の接合面の周囲に於ける画鋲（１０）の上面側には、画鋲（１０）が図の位置にある場合その上方には何もこないようにしてあけて形成する。この場合も画鋲（１０）の表面のなにもない部分が、少なくとも掴み代（１）の対向する１対の両側面に対して存在し、かつ略円盤状鍔部（３）における針の付け根に関して対称形になるようにする。同様に、複数の対称形になるような部分があればなお好都合である。なお、挿通孔（２）の入り口と出口の中間点が針の延長線上に来ることが望ましく、掴み代（１）の挿通孔の入り口と出口を結ぶ線上の略円盤状鍔部（３）等の上面側にはなにもこないようにあけておくことが、当然、大切である。
【００２６】
図５では同様に略円盤状鍔部（３）の片面に針（４）を植え込み、反対の面に金属等から成る略長方形の板状主体部を曲げて略筒状の掴み代（１）、又は断面が略半円状の掴み代（１）を作り、その略筒状の部分の挿通孔が針（４）に垂直になるように画鋲（１０）略円盤状鍔部（３）のできるだけ上面の表面に近くに設ける。画鋲（１０）が図５の位置にある場合、掴み代（１）の下側になる略円盤状鍔部（３）の上面側の表面、及び板状の金属等の両端等に於ける略円盤状鍔部（３）の上面側との接合面以外の画鋲（１０）に於ける上面側の表面の上方には何もないようにして画鋲（１０）を形成する。
【００２７】
挿通孔（２）が略円筒形の場合は筒をくっつけたような形になる。
金属等の板状の物質が非常に柔らかく薄いシート等の場合は指で画鋲（１０）を差し込むこともできる。
図１〜図５のいずれの場合も、▲１▼略円盤状鍔部の上面側に掴み代（１）を付けることにより掴み代（１）をニッパー（１１）等で挟んで刺し込むことや抜き取ることができるようにするとともに、▲２▼掴み代（１）の対面する両側面の外側または掴み代の周囲に、掴み代（１）で覆われていない画鋲（１０）の上面側に於ける表面の部分を略円盤状鍔部（３）の針の付け根に対し対称にし、画鋲（１０）を押すときや引くときに針をバランス良く押す・引くことができるようにして設けておく。▲３▼細い棒等を使うために、その掴み代（１）に、略円盤状鍔部（３）に略平行に、略円盤状鍔部の表面にできるだけ近づけて、小さい挿通孔（２）を開ける。この▲１▼〜▲３▼の３項目を特徴とするものである。
【００２８】
【発明の効果】
画鋲（１０）を被固定面に固定した状態でその掴み代（１）に挿通孔（２）が開いているため、掴み代（１）と挿通孔（２）は、常に被掲示物の最も上側に露出している。  したがって、その掴み代（１）をニッパー（１１）、ペンチ、又は先端が角張っていて平らな洗濯挟みで図７のように摘むことかできる。壁（７）に突き刺してあるときもそうでないときも挟むことができる。画鋲（１０）の掴み代（１）の外側にある上面側の平滑面（５）が、針の付け根に対して対称形の場合真っ直ぐに打ち込めるため画鋲を挿し込む作業も容易である。この際は、ニッパーで挿通孔（２）を摘んで差し込むため、指先で押さえて挿し込むのと異なり、大きな力を加えることができる。画鋲（１０）を壊さないように注意しなければならない。
【００２９】
また、その挿通孔（２）に糸、紐、針金等の線状体（９）または棒（８）等を通すことができる。しかも、壁（７）に画鋲（１０）を刺しこんである時も、刺しこんでない時も通すことができる。したがって、▲１▼画鋲（１０）を壁に刺してあるとき、糸を通し他の軽い物を吊るす事や、通した糸を引いて画鋲（１０）を抜くこと等ができる。▲２▼図１０のように画鋲（１０）を抜いた後挿通孔（２）に通した糸を伝わせて容器に誘動することができる。▲３▼図９のように挿通孔に糸を通して収納できる。
【００３０】
また、画鋲（１０）を壁（７）に刺したときの、挿通孔（２）の位置が壁面（７）に近い場合は図８のように、棒（８）を挿通孔（２）に差し込んだとき、壁面（７）を、てこの支点として使い易い。このことは、また、挿通孔（２）に糸等を通して図９のように数珠繋ぎにする収納の作業もし易いことにも通じる。また、画鋲（１０）が抜けないとき、棒（８）を通して、図８（ａ）の状態で回転させ、抜きやすくできる。画鋲（１０）を壁面７に刺し込むとき棒（８）を通して、図８（ａ）の状態で挿通孔（２）の部分に棒（８）を通して画鋲（１０）を動かないようして、掴み代（１）を少し叩いて画鋲（１０）を差し込むこともできる。すなわち、挿通孔及び掴み代は画鋲（１０）を支える・掴む等の手がかりにすることができる。
【００３１】
画鋲（１０）に多くの種類の機能を持たせられるが、画鋲（１０）が持つのは手がかりで、仕事は他の器具がするため、画鋲（１０）は比較的小さく、掲示物やその他の物の邪魔になりにくい。また、画鋲（１０）自体は、従来のように小型にできるが、大型で頑丈にしてもにしても抜く、刺すの操作がし易い。
【００３２】
【図面の簡単な説明】
【図１】略円盤状鍔部に掴み代の付いた画鋲の、（ａ）は斜視図、（ｂ）は側面図である。
【図２】略円盤状鍔部に掴み代の付いた画鋲の他の例を示すもので、（ａ）は斜視図、（ｂ）は側面図である。
【図３】略円盤状鍔部に掴み代の付いた画鋲のさらに他の例を示すもので、（ａ）は斜視図（ｂ）は側面図である。
【図４】略円盤状鍔部に掴み代の付いた画鋲のさらに他の例を示すもので、（ａ）は斜視図、（ｂ）は側面図である。
【図５】略円盤状鍔部に掴み代の付いた画鋲のさらに他の例を示すもので、（ａ）は斜視図、（ｂ）は側面図、（ｃ）は立面図である。
【図６】略円盤状鍔部の掴み代に、薄い板状主体部を使用した場合の斜視図である。
【図７】ニッパー（１１）を用いた引き抜き状態を示す略示図である。
【図８】棒８を用いた引き抜き状態を示す略示図で、（ａ）は棒８の差し込み状態を（ｂ）はその引き抜く状態を示すものである。
【図９】抜き取り可能な画鋲の収納状態を示す略示図である。
【図１０】抜いた画鋲を、線状体を伝わせて、容器に移動させる場合の略示図である。
【００３３】
【符号の説明】
１    掴み代
２    挿通孔
３    略円盤状鍔部
４    針
５    平滑面
６    指
７    壁
８    棒
９    糸、紐、又は針金等の線状体。
１０  画鋲
１１  ニッパー
１２  容器
１３  ストッパー